【手続補正書】
【提出日】平成27年2月5日(2015.2.5)
【手続補正１】
【補正対象書類名】明細書
【補正対象項目名】００５６
【補正方法】変更
【補正の内容】
【００５６】
【表１】
2014505157.tif 000001
次に、本発明の好ましい態様を示す。
１．少なくとも１つのアイオノマー（Ａ）と、少なくとも１つのブレンド物と、を含有する、又は、から製造される、組成物であって、
前記ブレンド物は少なくとも１つのポリアミドと、少なくとも１つのアイオノマー（Ｂ）とを含有し、
前記ポリアミドは脂肪族ポリアミドであり、
前記アイオノマー（Ｂ）は、エチレンと、アイオノマー（Ｂ）の重量基準で５〜１５重量％のＣ3〜Ｃ8のαβエチレン性不飽和カルボン酸と、３〜２５重量％の少なくとも１つのコモノマーと、０〜３０重量％の（メタ）アクリル酸アルキルとのコポリマーであり、
前記コモノマーはエチレン性不飽和ジカルボン酸又はその誘導体であり、
前記（メタ）アクリル酸アルキルは、アクリル酸アルキル、メタクリル酸アルキル、又はこれらの組み合わせであって前記アルキル基は１〜８個の炭素原子を有しており、
前記アイオノマー（Ｂ）中に存在する前記カルボン酸官能基は、１つ以上のアルカリ金属カチオン、遷移金属カチオン、アルカリ土類金属カチオン、又はこれらの２つ以上の組み合わせによって、少なくとも部分的に中和されている、組成物。
２．前記コモノマーが、マレイン酸、フマル酸、イタコン酸、無水マレイン酸、マレイン酸のＣ1〜Ｃ4のアルキルハーフエステル、及びこれらの２つ以上の組み合わせからなる群から選択される、前記１に記載の組成物。
３．前記ブレンド物が、前記ポリアミドの連続相中の前記アイオノマー（Ｂ）の分散物であり、前記ブレンド物は前記アイオノマー（Ａ）の連続相中に分散された分散相であり、
前記ブレンド物は約１〜１０の粒径比率を有しており、前記粒径比率は、前記アイオノマー（Ａ）中に分散されたブレンド物粒子の最長径の、直交するブレンド物粒子の第２最長径に対する比として定義される、前記１又は２に記載の組成物。
４．前記組成物が、前記組成物総重量基準で、１０〜６０重量％の前記アイオノマー（Ａ）を含有する、前記１〜３のいずれか１に記載の組成物。
５．前記組成物が、前記組成物総重量基準で、０．１〜１重量％の造核剤を含有する、前記１〜４のいずれか１に記載の組成物。
６．前記比率が約１〜約６である、前記３〜５のいずれか１に記載の組成物。
７．前記ブレンド物粒子の前記最長径が２０〜約６００ｎｍ又は２０〜約１２０ｎｍである、前記３〜６のいずれか１に記載の組成物。
８．前記ブレンド物の総重量基準で、前記ポリアミドが前記ブレンド物中に３０〜６５％存在し、前記アイオノマー（Ｂ）が前記ブレンド物中に７０〜３５％存在する、前記１〜７のいずれか１に記載の組成物。
９．前記ポリアミドが、ナイロン６、ナイロン１１、ナイロン６６、及びこれらの２つ以上の組み合わせからなる群から選択される、前記１〜８のいずれか１に記載の組成物。
１０．前記アイオノマー（Ｂ）中の前記カルボン酸が、ナトリウム、亜鉛、リチウム、マグネシウム、カルシウム、又はこれらの２つ以上の組み合わせからなる群から選択される金属カチオンによって少なくとも部分的に中和されている、前記１〜９のいずれか１に記載の組成物。
１１．前記１〜１０のいずれか１を特徴とする組成物、を含有する、又は、から製造される、物品であり、スキー用ブーツ、スノーボード用ブーツ、スケート用ブーツ、アイススケート用ブーツ、インラインスケート用ブーツ、又は登山用ブーツである、物品。
１２．少なくとも１つのポリアミドと少なくともアイオノマー（Ｂ）とを混ぜ合わせてブレンド物にすることと、前記アイオノマー（Ｂ）が前記ポリアミドの連続相中の分散相として分散されており、前記ブレンド物がアイオノマー（Ａ）の連続相中の分散相として分散されている組成物を製造するのに効果的な条件下で、前記ブレンド物を少なくとも前記アイオノマー（Ａ）と混合することとを含む方法であって、前記アイオノマー（Ｂ）と前記ポリアミドはそれぞれ前記１〜１０のいずれか１に記載のものとそれぞれ同じである、方法。
【手続補正２】
【補正対象書類名】特許請求の範囲
【補正対象項目名】全文
【補正方法】変更
【補正の内容】
【特許請求の範囲】
【請求項１】
少なくとも１つのアイオノマー（Ａ）と、少なくとも１つのブレンド物と、を含有する、又は、から製造される、組成物であって、
前記ブレンド物は少なくとも１つのポリアミドと、少なくとも１つのアイオノマー（Ｂ）とを含有し、
前記ブレンド物は前記ポリアミドの連続相中の前記アイオノマー（Ｂ）の分散物であり、前記ブレンド物は前記アイオノマー（Ａ）の連続相中に分散されている分散相であり、
前記ブレンド物は約１〜１０の粒径比率を有しており、前記比率は、前記アイオノマー（Ａ）中に分散されたブレンド物粒子の最長径の、直交するブレンド物粒子の第２最長径に対する比として定義され、
前記組成物は、前記組成物総重量基準で、１０〜６０重量％の前記アイオノマー（Ａ）を含有しており、
前記ポリアミドは脂肪族ポリアミドであり、
前記アイオノマー（Ｂ）は、エチレンと、前記アイオノマー（Ｂ）の重量基準で５〜１５重量％のＣ3〜Ｃ8のαβ−エチレン性不飽和カルボン酸と、３〜２５重量％の少なくとも１つのコモノマーと、０〜３０重量％の（メタ）アクリル酸アルキルとのコポリマーであり、
前記コモノマーは、マレイン酸、フマル酸、イタコン酸、無水マレイン酸、マレイン酸のＣ1〜Ｃ4のアルキルハーフエステル、及びこれらの２つ以上の組み合わせからなる群から選択されるものであり、
前記（メタ）アクリル酸アルキルは、アクリル酸アルキル、メタクリル酸アルキル、又はこれらの組み合わせであって前記アルキル基は１〜８個の炭素原子を有しており、
前記アイオノマー（Ｂ）中に存在する前記カルボン酸官能基は、１つ以上のアルカリ金属カチオン、遷移金属カチオン、アルカリ土類金属カチオン、又はこれらの２つ以上の組み合わせによって、少なくとも部分的に中和されている、組成物。
【請求項２】
前記組成物が、前記組成物総重量基準で、０．１〜１重量％の造核剤を含有し、
前記比率が約１〜約６であり、
前記ブレンド物粒子の前記最長径が２０〜約６００ｎｍ又は２０〜約１２０ｎｍであり、
前記ブレンド物の総重量基準で、前記ポリアミドが前記ブレンド物中に３０〜６５％存在し、前記アイオノマー（Ｂ）が前記ブレンド物中に７０〜３５％存在する、請求項１に記載の組成物。
【請求項３】
前記ポリアミドが、ナイロン６、ナイロン１１、ナイロン６６、及びこれらの２つ以上の組み合わせからなる群から選択され、
前記アイオノマー（Ｂ）中の前記カルボン酸が、ナトリウム、亜鉛、リチウム、マグネシウム、カルシウム、又はこれらの２つ以上の組み合わせから選択される金属カチオンによって少なくとも部分的に中和されている、請求項２に記載の組成物。
【請求項４】
請求項１〜３のいずれか１項を特徴とする組成物、を含有する、又は、から製造される、物品であり、スキー用ブーツ、スノーボード用ブーツ、スケート用ブーツ、アイススケート用ブーツ、インラインスケート用ブーツ、又は登山用ブーツである、物品。
【請求項５】
少なくとも１つのポリアミドと少なくともアイオノマー（Ｂ）とを混ぜ合わせてブレンド物にすることと、前記アイオノマー（Ｂ）が前記ポリアミドの連続相中の分散相として分散されており、前記ブレンド物がアイオノマー（Ａ）の連続相中の分散相として分散されている組成物を製造するのに効果的な条件下で、前記ブレンド物を少なくとも前記アイオノマー（Ａ）と混合することとを含む方法であって、前記アイオノマー（Ｂ）と前記ポリアミドはそれぞれ請求項１〜３のいずれか１項に記載のものとそれぞれ同じである、方法。